(57)【要約】【課題】  管路等で防食すべき鋼材に簡単に取り付けることができる簡易防食装置を提供する。【解決手段】  水に接触している鋼材１１を、陽極材１５を用いて防食するための簡易防食装置であり、鋼材１１に挟んで取り付けるべく取付金具１３を細長コ字状に形成し、その取付金具１３の内面に切り起こし爪１７を形成し、取付金具１３に直接又はリード線１４を介して陽極材１５を電気的に接続する。【選択図】  図１
2006336072.tif 000002
【特許請求の範囲】
【請求項１】
水に接触している鋼材を、陽極材を用いて防食するための簡易防食装置において、鋼材に挟んで取り付けるべく取付金具を細長コ字状に形成し、その取付金具に陽極材を電気的に接続したことを特徴とする簡易防食装置。
【請求項２】
水に接触している鋼材を、陽極材を用いて防食するための簡易防食装置において、鋼材に挟んで取り付けるべく取付金具を細長コ字状に形成し、その取付金具にリード線を介して陽極材を接続したことを特徴とする簡易防食装置。
【請求項３】
先端にコ字状の支持部材を備えた治具を形成し、その治具の支持部材に取付金具を収容し、その治具で取付金具を鋼材に押し込んで、鋼材に取付金具を取り付けた請求項１又は２記載の簡易防食装置。
【請求項４】
水に接触している鋼材を、陽極材を用いて防食するための簡易防食装置において、鋼材に挟んで取り付けるべく取付金具を細長コ字状に形成し、その取付金具の後方に陽極材を一体に取り付けたことを特徴とする簡易防食装置。
【請求項５】
陽極材は心金を有し、その心金を陽極材から突出させると共にネジ部を形成し、その心金のネジ部を取付金具にボルト締めして陽極材を取り付けた請求項４記載の簡易防食装置。
【請求項６】
取付金具の後方に心金を取り付け、その心金の周囲に陽極材を鋳込んで設けた請求項４記載の簡易防食装置。
【請求項７】
取付金具の内面に鋼材と接する切り起こし爪を多数形成した請求項１〜６いずれかに記載の簡易防食装置。
【発明の詳細な説明】
【技術分野】
【０００１】
本発明は、鋼材を加工してなる立金物、ケーブル支持架台、ケーブル受棚、梯子などの腐食を防止する簡易防食装置に係り、特に犠牲防食のための陽極を鋼材に簡単に取り付けることができる簡易防食装置に関するものである。
【背景技術】
【０００２】
管路・洞道・マンホール（以下管路等という）には、多数の電力ケーブルが敷設されている。この管路等内は、水没している場合があることから電力ケーブル等を支持する鋼製の地中線用立金物などの鋼材を防食する必要がある。通常地中線用立金物などの鋼材の防食には亜鉛メッキや塗装が施されてはいるが、メッキ層や塗膜に局所的に傷があると、そこから局所的に腐食が進行する。局所的腐食でも部分補修ができない場合は、健全部もふくめ、全体的に取替を実施せざるを得ない。この場合、被支持物の仮吊りなど仮設工事が必要となり、管路等内の環境によっては、電気供給を一時中断する線路停止を伴う場合もあり制約も多い。
【０００３】
現場メッキは大規模機器を必要とすること、周囲養生を必要とすることから容易には実施不可能である。
【０００４】
また塗装による補修は、周囲の水を除去、乾燥、ケレン（錆落とし）、下塗りの準備工程が必要となることや衛生換気が必要となることから管路等環境では適さない。
【０００５】
従来、特許文献１〜４に示されるように鋼材の防食には、その鋼材より卑なる犠牲電極を水中に配し、その犠牲電極と鋼材とを電気的に接続し、犠牲電極と鋼材間に防食電流を流すようにしている。
【０００６】
図８は、マンホール４０内における立金物４１の電気防食装置４２を示したものであり、水中ｗに陽極材４３を水没するように設け、その陽極材４３にリード線４４を接続し、そのリード線４４を水面上の立金物４１に接続し、さらに立金物４１をボンド線４５にて相互に接続し、陽極材４３から各立金物４１へ防食電流が流れるようにしている。
【０００７】
【特許文献１】特開昭５３−１３７８３９号公報
【特許文献２】特公昭５７−５３８７１号公報
【特許文献３】特開昭５８−６９７９号公報
【特許文献４】実公昭６３−１５３３１号公報
【発明の開示】
【発明が解決しようとする課題】
【０００８】
しかしながら、マンホール４０は、水没している場合もあり、その場合は、防食しなければならない対象面積が大きくなる。よって防食面積が大きいと、これを補償するためには、陽極材４３も大きいものが必要となり、設置スペース、運搬・搬入の問題が生じる。
【０００９】
従って、陽極材は、小さなものを分散し、各立金物４１毎に取り付けることが好ましいが、分散して取り付けるには、多大な労力を要する問題がある。
【００１０】
本発明の目的は、管路等で防食すべき鋼材に簡単に取り付けることができる簡易防食装置を提供することにある。
【課題を解決するための手段】
【００１１】
上記の目的を達成するために、請求項１の発明は、水に接触している鋼材を、陽極材を用いて防食するための簡易防食装置において、鋼材に挟んで取り付けるべく取付金具を細長コ字状に形成し、その取付金具に陽極材を電気的に接続した簡易防食装置である。
【００１２】
請求項２の発明は、水に接触している鋼材を、陽極材を用いて防食するための簡易防食装置において、鋼材に挟んで取り付けるべく取付金具を細長コ字状に形成し、その取付金具にリード線を介して陽極材を接続した簡易防食装置である。
【００１３】
請求項３の発明は、先端にコ字状の支持部材を備えた治具を形成し、その治具の支持部材に取付金具を収容し、その治具で取付金具を鋼材に押し込んで、鋼材に取付金具を取り付けた請求項１又は２記載の簡易防食装置である。
【００１４】
請求項４の発明は、水に接触している鋼材を、陽極材を用いて防食するための簡易防食装置において、鋼材に挟んで取り付けるべく取付金具を細長コ字状に形成し、その取付金具の後方に陽極材を一体に取り付けた簡易防食装置である。
【００１５】
請求項５の発明は、陽極材は心金を有し、その心金を陽極材から突出させると共にネジ部を形成し、その心金のネジ部を取付金具にボルト締めして陽極材を取り付けた請求項４記載の簡易防食装置である。
【００１６】
請求項６の発明は、取付金具の後方に心金を取り付け、その心金の周囲に陽極材を鋳込んで設けた請求項４記載の簡易防食装置である。
【００１７】
請求項７の発明は、取付金具の内面に鋼材と接する切り起こし爪を多数形成した請求項１〜６いずれかに記載の簡易防食装置である。
【発明の効果】
【００１８】
本発明は、陽極材と電気的に接続された取付金具を細長コ字状に形成し、これを鋼材を挟むように押し込むことで、簡単に取り付けることができる。
【発明を実施するための最良の形態】
【００１９】
以下本発明の実施形態を添付図面により説明する。
【００２０】
図１〜図６は、簡易防食装置の一実施の形態を示し、図１は使用状態を示す正面図、図２は図１のＡ−Ａ線矢視図、図３は陽極の詳細図、図４は取付金具の詳細図、図５は取付金具を鋼材に取り付けるための治具の詳細図を示したものである。
【００２１】
図１において、１１は、マンホールや洞道などの管路等１０内で起立して設けられた鋼材（この例では立金物）で、その全体或いは下部が水中ｗに没した状態にあり、図には示していないが鋼材１１にて棚が支持され、その棚上に電力ケーブル等が敷設されている。
【００２２】
本発明の簡易防食装置１２は、鋼材１１を挟んで差し込むことで取り付ける取付金具１３と、その取付金具１３にリード線１４を介して電気的に接続される陽極材１５とからなる。
【００２３】
取付金具１３は、図４（ａ）、図４（ｂ）に示すように、ステンレス鋼で形成された細長コ字状の取付金具本体１６の内面に複数個の切り起こし爪１７が形成され、取付金具本体１６の上縁にリード線１４をボルト止めするためのボルト穴１８が形成されて構成される。
【００２４】
取付金具本体１６は、鋼材１１を挟むように延びる一対の挟持片１９，１９とその挟持片１９，１９の後端を連結する連結片２０からなり、挟持片１９，１９の間隔が先端に行くに従って狭くなるよう、またその先端部１９ａ、１９ａは鋼材１１に差し込みが容易になるように外側に開かれた形状にされる。
【００２５】
挟持片１９，１９には、例えば図示のようにコ字状に切り込こまれ、その切り込まれた片が斜め後方に起立するようにされて切り起こし爪１７が形成される。この切り起こし爪１７は、挟持片１９，１９で対称に設けられる。
【００２６】
一方の挟持片１９の上縁には、折り曲げ片２１が形成され、その折り曲げ片２１にボルト穴１８が穿設される。
【００２７】
図３に示すように、陽極材１５は、マグネシウムからなり、図には示していないが中心に心金を有する。この陽極材１５にはリード線１４が接続される。リード線１４は、導線に絶縁材が被覆されてなり、リード線１４の陽極材１５との接続部には、リード線１４内の導体に水が浸入しないように熱収縮チューブ１４ａが被覆される。またリード線１４の先端には、圧着端子２２が設けられる。
【００２８】
このリード線１４の圧着端子２２を取付金具１３のボルト穴１８にボルト止め２３して、取付金具１３をリード線１４を介して陽極材１５と一体に接続しておく。
【００２９】
図５は、取付金具１３を鋼材１１に差し込むための治具２４を示したもので、図において、ハンドル２５に支持棒２６が設けられ、その支持棒２６の先端にコ字状の支持部材２７が設けられ、その支持部材２７の底部の基端部に支持片２８が設けられて治具２４が構成される。
【００３０】
鋼材１１への取付金具１３の取付は、取付金具１３を治具２４の支持部材２７内に嵌め込んだ状態で、ハンドル２５を両手で持ちながら、取付金具１３を、水面上の鋼材１１を挟むようにして押し込むことで取り付ける。
【００３１】
これにより取付金具１３の切り起こし爪１７が図２に示すように鋼材１１に接触すると共に、挟持片１９，１９の弾性力により、取付金具１３を鋼材１１に取り付けることができ、また陽極材１５は、水中ｗに没するようにすることで、その鋼材１１を防食することができる。
【００３２】
このように本発明の簡易防食装置１２は、鋼材１１に取付金具１３を差し込んで取り付けるだけで簡単に取り付けることができ、また陽極材１５も２００ｇ以下の小さなものですむため、取付作業を簡単に行うことができる。
【００３３】
図６（ａ）、図６（ｂ）は、本発明の他の実施の形態を示したものである。
【００３４】
本実施の形態においては、リード線１４を用いずに取付金具１３に直接陽極材１５を取り付けるようにしたものである。すなわち、陽極材１５に設けられている心金３０の先端にネジ部３１を形成し、その取付金具１３の連結片２０にネジ部３１を挿通する穴３２を形成し、その穴３２にネジ部３１を通した後、ナット３３をねじ込んでボルト止めすることで、取付金具１３と陽極材１５とを一体化することができ、これにより治具を用いずに陽極材１５を手で握って、水中ｗに位置した鋼材１１に差し込めば、図６（ｂ）のように取り付けることが可能となる。
【００３５】
図７（ａ）、図７（ｂ）は、本発明のさらに他の実施の形態を示したものである。
【００３６】
本実施の形態においては、図６のように陽極材をボルト締めする代わりに、取付金具１３の連結片２０に心金３０を溶接し、その心金３０の周りに陽極材１５を鋳込んで一体としたものである。
【００３７】
この図７の実施の形態でも、図６と同様に陽極材１５を手で握って、水中ｗに位置した鋼材１１に差し込めば、図７（ｂ）のように取り付けることが可能となる。
【図面の簡単な説明】
【００３８】
【図１】本発明の一実施の形態を示す正面図である。
【図２】図１のＡ−Ａ線矢視図である。
【図３】陽極の詳細図である。
【図４】取付金具の詳細図である。
【図５】図１の取付金具を鋼材に取り付けるための治具の詳細図である。
【図６】本発明の他の実施の形態を示す図である。
【図７】本発明のさらに他の実施の形態を示す図である。
【図８】従来例を示す図である。
【符号の説明】
【００３９】
１１  鋼材
１３  取付金具
１４  リード線
１５  陽極材
１７  切り起こし爪
【図１】
2006336072.tif 000003
【図２】
2006336072.tif 000004
【図３】
2006336072.tif 000005
【図４】
2006336072.tif 000006
【図５】
2006336072.tif 000007
【図６】
2006336072.tif 000008
【図７】
2006336072.tif 000009
【図８】
2006336072.tif 000010